(57)【要約】 【課題】  表示装置及び携帯端末装置を提供すること。【解決手段】  ディスプレイパネルと、前記ディスプレイパネルが設けられた筐体とを有し、前記ディスプレイパネルは、少なくとも一端部を曲げて曲面部が形成され、当該曲面部の少なくとも一部と前記筐体とが密着して成る表示装置である。【選択図】図１Ａ
2016061977.tif 000002
【特許請求の範囲】
【請求項１】
ディスプレイパネルと、
前記ディスプレイパネルが設けられた筐体と、
を有し、
前記ディスプレイパネルは、少なくとも一端部を曲げて曲面部が形成され、当該曲面部の少なくとも一部と前記筐体とが密着している、
ことを特徴とする表示装置。
【請求項２】
前記密着は、接着部材により形成されることを特徴とする請求項１に記載の表示装置。
【請求項３】
前記ディスプレイパネルの両端部にそれぞれ前記曲面部が形成され、
これら曲面部の少なくとも一部がそれぞれ前記筐体と接着される、
ことを特徴とする請求項１記載の表示装置。
【請求項４】
前記ディスプレイパネルは、前記曲面部の形成により第１の領域と第２の領域とが形成され、
前記第１の領域において表示が行われ、
前記第２の領域において前記曲面部の少なくとも一部が前記筐体に接着される、
ことを特徴とする請求項１記載の表示装置。
【請求項５】
前記筐体は、前記ディスプレイパネルを保持する枠体を含み、
前記ディスプレイパネルの前記曲面部は、少なくとも前記枠体に対して接着される、
ことを特徴とする請求項１記載の表示装置。
【請求項６】
前記ディスプレイパネルの前記曲面部を長く設定することにより当該曲面部の前記筐体に対する接着面積を広く形成することを特徴とする請求項１記載の表示装置。
【請求項７】
前記筐体は、前記ディスプレイパネルを保持する枠体と、前記ディスプレイパネルに対向配置されるベース部材とを含み、
前記ディスプレイパネルの前記曲面部は、前記枠体と前記ベース部材とに対して接着される、
ことを特徴とする請求項６記載の表示装置。
【請求項８】
前記ディスプレイパネルに形成される前記曲面部の内側には、本装置に対する曲げ防止部材が設けられることを特徴とする請求項１記載の表示装置。
【請求項９】
前記密着は、前記筐体と前記曲げ防止部材とにより挟持されることにより形成されることを特徴とする請求項８に記載の表示装置。 
【請求項１０】
前記ディスプレイパネルの対向する両端部にそれぞれ前記曲面部が形成され、
前記筐体は、前記各曲面部を介して前記ディスプレイパネルを両端部方向に力を加えて保持する、
ことを特徴とする請求項１記載の表示装置。
【請求項１１】
前記筐体内に配置された実装基板を含み、
前記ディスプレイパネルの前記曲面部は、電気的又は機械的のうちいずれか一方又は両方により前記実装基板に接続される、
ことを特徴とする請求項１記載の表示装置。
【請求項１２】
請求項１乃至１１のうちいずれか１項記載の表示装置を備えたことを特徴とする携帯端末装置。
【発明の詳細な説明】
【技術分野】
【０００１】
本発明の実施形態は、柔軟性を有する表示装置及び当該表示装置を用いた携帯端末装置に関する。
【背景技術】
【０００２】
近年、携帯端末装置は、様々なサイズ・形態のものがあり、ユーザによって様々なシーンで使用されている。このような携帯端末装置に対しては、ユーザからより軽く、かつ薄い形状、すなわち薄型軽量にする要求の声が多く挙がっている。携帯端末装置を薄型軽量にするためには、フレキシブルディスプレイを用いることの期待が高く、このディスプレイを用いることは、耐衝撃性の観点からも期待が高い。
【先行技術文献】
【特許文献】
【０００３】
【特許文献１】特開２０１１−００３５３７号公報
【発明の概要】
【発明が解決しようとする課題】
【０００４】
フレキシブルディスプレイを用いて薄型軽量の携帯端末装置を作製すると、フレキシブルディスプレイが低剛性なため、端末の重量や厚さを増やさずに当該携帯端末装置の筐体の剛性が保つのが困難となり、外力を受けたときに筐体の変形が大きくなる。このため、フレキシブルディスプレイと筐体とを接着している部分に大きな変形が加わり、フレキシブルディスプレイが筐体から剥がれ易くなってしまう。  
従って、フレキシブルディスプレイを用いて薄型軽量化を図った低剛性の携帯端末装置では、フレキシブルディスプレイを筐体に対して確実に保持することが要求されている。
【課題を解決するための手段】
【０００５】
実施形態によれば、ディスプレイパネルと、前記ディスプレイパネルが設けられた筐体とを有し、前記ディスプレイパネルは、少なくとも一端部を曲げて曲面部が形成され、当該曲面部の少なくとも一部と前記筐体とが密着して成る表示装置である。
【図面の簡単な説明】
【０００６】
【図１Ａ】第１の実施の形態を示す表示装置の構成図である。
【図１Ｂ】同第１の実施の形態において保護フィルムを形成した表示装置の構成図である。
【図１Ｃ】同第１の実施の形態において保護フィルムを形成した別の表示装置の構成図である。
【図１Ｄ】同第１の実施の形態における携帯端末装置の外観図である。
【図２】第２の実施の形態を示す表示装置の構成図である。
【図３】第３の実施の形態を示す表示装置の構成図である。
【図４】第４の実施の形態を示す表示装置の構成図である。
【図５】第５の実施の形態を示す表示装置の構成図である。
【発明を実施するための形態】
【０００７】
［第１の実施の形態］
以下、第１の実施の形態について、図面を参照して説明する。  
図１Ａ乃至図１Ｃは携帯端末装置に用いる表示装置１の構成図を示す。又、図１Ｄは携帯端末装置の外観図を示す。なお、同図に示す本装置１は、模式的なものであり、厚みと平面寸法との関係、各層の厚みの比率等は現実のものと異なる。又、本第１の実施の形態以降の各実施の形態の各図面相互間において互いの寸法の関係や比率が異なる部分が含まれる。
【０００８】
本装置１には、筐体２を形成するベース部材３とフレーム４とが備えられている。ベース部材３の上面には、実装基板等の基板５と、この基板５及びディスプレイパネル６等に電力を供給する電池７とが設けられている。基板５には、ディスプレイパネル６の表示駆動や、各種信号処理及び制御処理を行うためのコントローラが実装されている。ベース部材３上には、フレーム４が設けられている。
【０００９】
このフレーム４は、四辺形等の枠体として形成されている。このフレーム４は、例えば樹脂により形成されている。又、フレーム４には、ディスプレイパネル６が設けられている。
【００１０】
このディスプレイパネル６は、例えば柔軟性を持つフレキシブルディスプレイが用いられる。以下、ディスプレイパネル６は、フレキシブルディスプレイ６として説明する。このフレキシブルディスプレイ６は、例えば有機ＥＬディスプレイ又は電子泳動方式を用いた反射型ディスプレイが用いられる。このフレキシブルディスプレイ６は、液晶ディスプレイ等でも実現可能である。  
このフレキシブルディスプレイ６は、表示面上にタッチパネル基板を重ねて設けたり、又は貼り合せたりした構造でもタッチパネル機能を内蔵化したいわゆるインセルパネルでもよい。又、このフレキシブルディスプレイ６は、タッチパネル基板を重ねて設けたり、ディスプレイの最表面をハードコートしたり、又は保護フィルム１２を積層することにより表面を保護してもよい。このフレキシブルディスプレイ６は、必要により円偏光板等を用いた反射防止層を挿入してもよい。
【００１１】
フレキシブルディスプレイ６の対向する両端部には、それぞれ当該フレキシブルディスプレイ６を湾曲して形成した各曲面部８ａ、８ｂが形成されている。フレキシブルディスプレイ６において画像を表示する面を表示面６ａとし、その反対側の面を表示裏面６ｂとすると、各曲面部８ａ、８ｂは、それぞれ表示裏面６ｂが内側になるように湾曲される。なお、上記フレキシブルディスプレイ６では、一辺部に曲面部８ａが形成され、この一辺部に対向する他辺部に曲面部８ｂが形成されている。なお、これら曲面部８ａ、８ｂは、いずれか一方の曲面部８ａ又は８ｂがフレキシブルディスプレイ６の一端部に設けられるものであってもよい。
【００１２】
このフレキシブルディスプレイ６は、各曲面部８ａ、８ｂにおいてフレーム４に対して接着剤９により接着される。例えば、フレーム４の内側には凹形状の湾曲部４ａ、４ｂが形成されているので、これら湾曲部４ａ、４ｂの凹形状内にフレキシブルディスプレイ６の各曲面部８ａ、８ｂの凸形状が嵌め込められて接着剤９により接着される。この場合、フレキシブルディスプレイ６は、各曲面部８ａ、８ｂにおいてフレーム４に対して接着剤９を介して密着している。
【００１３】
なお、フレーム４の湾曲部４ａ、４ｂの凹形状の面と、フレキシブルディスプレイ６の各曲面部８ａ、８ｂの凸形状の面との間に隙間を形成し、この隙間内に接着剤９を塗り付けるようにしてもよい。又、上記各湾曲部４ａ、４ｂの凹形状の面と各曲面部８ａ、８ｂの凸形状の面との間は、それぞれ隙間を形成せず、接着剤９を塗り、密着させて接着するようにしてもよい。なお、これら湾曲部４ａ、４ｂの凹形状の面と曲面部８ａ、８ｂの凸形状の面との間は、全面を接着剤９により接着するのに限らず、その一部分に接着剤９を塗布して接着してもよい。
【００１４】
このようにフレキシブルディスプレイ６の両端部に各曲面部８ａ、８ｂを形成し、これら曲面部８ａ、８ｂにおいてフレーム４に対して接着剤９により接着するので、フレキシブルディスプレイ６に各曲面部８ａ、８ｂは、フレーム４により覆い隠される。  
図１Ｂのように表面に保護フィルム１２を形成してもよい。保護フィルム１２は、フレーム４の領域も含めて貼り付けることで、表面の段差をなくしデザインの優れた端末を実現できる。また保護フィルム１２とディスプレイパネル６とでフレーム４の一部を挟み込む構造になるため、曲げた時等にフレキシブルディスプレイ６とフレーム４とが剥れにくい。保護フィルム１２は、円偏光板等の反射防止機能などの光学機能を持ってもよいし、タッチパネル機能を持ってもよい。
【００１５】
図１Ｃのように保護フィルム１２によってフレーム４の一部側面を覆う構造にすることで、フレキシブルディスプレイ６の剥れを抑制する効果がさらに増加する。
【００１６】
フレキシブルディスプレイ６においてフレーム４により覆い隠されていない領域を第１の領域Ｅ１とし、フレーム４により覆い隠された領域を第２の領域Ｅ２とする。このうち第１の領域Ｅ１は、フレーム４により覆い隠されず、当該第１の領域Ｅ１に表示される画像を見ることが可能であるので、画像の表示領域Ｅ１とする。第２の領域Ｅ２は、フレーム４により覆い隠されるので、樹脂４と接着剤９とが透明材料でない場合、当該第２の領域Ｅ２に表示される画像を見ることが不可能であり、予め画像の表示を行わない非表示領域Ｅ２とする。
【００１７】
このようにフレキシブルディスプレイ６上の画像の表示領域Ｅ１における画像の表示と、非表示領域Ｅ２における画像の非表示とは、基板５上に形成されるコントローラにより表示制御される。
【００１８】
なお、フレキシブルディスプレイ６には、上記コントローラにより表示制御される画像の表示領域Ｅ１と非表示領域Ｅ２との他に、当該フレキシブルディスプレイ６自体の表示領域と非表示領域とがある。例えば、フレキシブルディスプレイ６の周辺部には、当該フレキシブルディスプレイ６を駆動するための実装回路等が設けられている部分があり、当該部分では非表示領域となる。これらフレキシブルディスプレイ６自体の表示領域と非表示領域とは、上記表示領域Ｅ１及び非表示領域Ｅ２と一致してもよいし、一致しなくてもよい。なお、フレキシブルディスプレイ６自体の表示領域がフレーム４により覆い隠されることも在り得る。この場合には、基板５に実装されるコントローラによってフレキシブルディスプレイ６における表示領域をコントロールし、フレーム４により覆い隠されていないフレキシブルディスプレイ６の表示領域において画像を表示するようにすればよい。
樹脂４と接着剤９に透明材料を用いることで筐体２の側面の少なくとも一部に表示を行うことも可能となる。
【００１９】
このように上記第１の実施の形態によれば、フレキシブルディスプレイ６の対向する両端部にそれぞれ当該フレキシブルディスプレイ６を湾曲した各曲面部８ａ、８ｂを形成し、これら各曲面部８ａ、８ｂをフレーム４に対して接着剤９により接着したので、フレーム４を大きく増やすことなくフレキシブルディスプレイ６と筐体２との接着面積を広くすることができ、フレキシブルディスプレイ６と筐体２との間を強固に保持することができる。これにより、筐体２に外力を受けたときに当該筐体２に変形が生じ、フレキシブルディスプレイ６と筐体２とを接着している領域に大きな変形が加わっても、フレキシブルディスプレイ６が筐体２から剥がれることが発生しにくくなる。この結果、フレキシブルディスプレイ６を用いて薄型軽量化を図った低剛性の携帯端末において、フレキシブルディスプレイ６を筐体２に対して強固に保持することができる。
【００２０】
フレキシブルディスプレイ６の各曲面部８ａ、８ｂをフレーム４に対して接着するときに、フレキシブルディスプレイ６の本来の表示領域がフレーム４により覆い隠されることも在り得るが、この場合には、基板５に実装されるコントローラによってフレキシブルディスプレイ６における表示領域をコントロールすればよいので、フレキシブルディスプレイ６の各曲面部８ａ、８ｂを形成するための長さを任意に決定できる。
【００２１】
［第２の実施の形態］
次に、第２の実施の形態について、図面を参照して説明する。なお、図１と同一部分には同一符号を付してその詳しい説明は省略する。  
図２は携帯端末装置に用いる表示装置１の構成図を示す。本装置１では、フレキシブルディスプレイ６における各曲面部８ａ、８ｂの長さが長く設定されている。これにより、フレキシブルディスプレイ６は、フレーム２との間の接着に加え、ベース部材３とも接着を行うものとなり、上記第１の実施の形態の接着面積よりも広い接着面積を形成している。
【００２２】
すなわち、フレキシブルディスプレイ６の両端部における各曲面部８ａ、８ｂでは、フレキシブルディスプレイ６の湾曲により当該フレキシブルディスプレイ６の表示面６ａとフレーム２との接着を行い、これに加えてフレキシブルディスプレイ６の表示面６ａとベース部材３との間が接着剤９により接着される。
【００２３】
これにより、本第２の実施の形態は、上記第１の実施の形態と比較して、フレキシブルディスプレイ６の表示面６ａとベース部材３との接着を行う部分、すなわちフレキシブルディスプレイ６におけるベース部材３と対向する対面部分Ｈに対応する面積分だけ接着面積が広くなる。
【００２４】
なお、本装置１では、フレキシブルディスプレイ６における両端部の各曲面部８ａ、８ｂの長さを長く設定しているが、これに限らず、フレキシブルディスプレイ６の各曲面部８ａ、８ｂの少なくとも一端部の曲面部８ａ又は８ｂの長さを長く設定するようにしてもよい。
【００２５】
このように第２の実施の形態によれば、フレキシブルディスプレイ６の接着面積を広くすることにより、上記第１の実施の形態の効果に加えて、フレキシブルディスプレイ６と筐体２との間をより強固に保持することができる。
【００２６】
［第３の実施の形態］
次に、第３の実施の形態について、図面を参照して説明する。なお、図１と同一部分には同一符号を付してその詳しい説明は省略する。  
図３は携帯端末装置に用いる表示装置１の構成図を示す。本装置１では、フレキシブルディスプレイ６の各曲面部８ａ、８ｂの内側には、それぞれ本装置１に対する曲げ防止部材としての芯材１０ａ、１０ｂが設けられている。これら芯材１０ａ、１０ｂは、本装置１のフレーム４と比べて高剛性であることが望ましく、例えばヤング率がフレーム４のヤング率よりも１００倍以上の樹脂等の材料を用いることで、大きな抑制効果を発揮する。なお、芯材１０ａ、１０ｂは、両曲面部８ａ、８ｂの内側に設けられているが、いずれか一方の曲面部８ａ又は８ｂに設けてもよい。
【００２７】
芯材１０ａと曲面部８ａ、あるいは芯材１０ｂと曲面部８ｂとは、接着剤９で固定されてもいいが、芯材１０ａからフレキシブルディスプレイ６の曲面部８ａ、８ｂ方向へ押し付けて固定する方式で、芯材１０ａとフレキシブルディスプレイ６の曲面部８ａ、８ｂがずれる構造にすると、筐体２のフレキシブルディスプレイ６を損なわず曲げに強い構造となる。
【００２８】
このように第３の実施の形態によれば、フレキシブルディスプレイ６の各曲面部８ａ、８ｂの内側に芯材１０ａ、１０ｂを設けたので、上記第１の実施の形態の効果に加えて、各曲面部８ａ、８ｂに対して平行な方向の曲げを抑制することなく、垂直方向の曲げを抑制することができる。２種類以上の曲げがフレキシブルディスプレイ６上で発生すると曲げが交差する付近の一部に非常に小さな曲率半径で曲がる領域が発生することがある。これは表示の不良をもたらす可能性がある。上述のように芯材１０ａを用いることで曲げの方向が制御できれば、このような不良を減らすことができる。
【００２９】
［第４の実施の形態］
次に、第４の実施の形態について、図面を参照して説明する。なお、図１と同一部分には同一符号を付してその詳しい説明は省略する。  
図４は携帯端末装置に用いる表示装置１の構成図を示す。本装置１では、フレーム４は、フレキシブルディスプレイ６の各曲面部８ａ、８ｂを保持する対向する各辺において、内側に向けた状態で、フレキシブルディスプレイ６を保持する。これにより、フレーム４には、当該フレーム４の内側に向けた力に対抗する力、すなわちフレキシブルディスプレイ６からの外側に向かう方向の力Ｆ１、Ｆ２が働く。これら力Ｆ１、Ｆ２によりフレキシブルディスプレイ６には、当該フレキシブルディスプレイ６において対向する各辺から互いに引っ張る力が加わる。これにより、フレキシブルディスプレイ６における凹凸形状の形成が抑制される。
【００３０】
フレーム４の各辺には、内側に向けた状態から互いに反対方向の外側に向かう方向の力Ｆ１、Ｆ２が働く。これら力Ｆ１、Ｆ２によりフレキシブルディスプレイ６には、当該フレキシブルディスプレイ６において対向する各辺部から各力Ｆ１、Ｆ２と同一方向の互いに引っ張る力が加わる。これにより、フレキシブルディスプレイ６の表面には張力が加わり、フレキシブルディスプレイ６の表面上における凹凸形状の形成が抑制される。
【００３１】
［第５の実施の形態］
次に、第５の実施の形態について、図面を参照して説明する。なお、図１と同一部分には同一符号を付してその詳しい説明は省略する。  
図５は携帯端末装置に用いる表示装置１の構成図を示す。本装置１では、フレキシブルディスプレイ６の曲面部８ｂと実装基板等の基板５とが電気的又は機械的のうちいずれか一方又は両方により接続されている。なお、フレキシブルディスプレイ６の曲面部８ａと基板５とを電気的又は機械的のうちいずれか一方又は両方により接続してもよい。
【００３２】
フレキシブルディスプレイ６の曲面部８ｂは、当該フレキシブルディスプレイ６の周辺部に設けられるものであり、この周辺部には、当該フレキシブルディスプレイ６を駆動するための実装回路等が形成されている。従って、フレキシブルディスプレイ６に各曲面部８ａ、８ｂを形成することにより、これら曲面部８ａ、８ｂと基板５との間隔が狭くなり、かつ各曲面部８ａ、８ｂと基板５とがベース部材３上に実装されたのと同等となる。これにより、各曲面部８ａ、８ｂと基板５との間での電気的又は機械的な接続が容易になる。  
従って、フレキシブルディスプレイ６と基板５とは、中間基板等を用いずに直接接続が可能となり、本装置１を製造する場合での工程を少なくできると共に、部材費等の経費の削減も可能である。  
このようにフレキシブルディスプレイ６における信号入力部を各曲面部８ａ、８ｂを通して引き出すことで、当該フレキシブルディスプレイ６の表示面６ａと基板５とを異方性導電樹脂等を介して接続することが可能となる。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１：表示装置、２：筐体、３：ベース部材、４：フレーム、５：基板、６：ディスプレイパネル、７：電池、８ａ，８ｂ：曲面部、６ａ：ディスプレイパネルの表示面、６ｂ：ディスプレイパネルの表示裏面、９：接着剤、１０ａ，１０ｂ：芯材、１２：保護フィルム。
【図１Ａ】
2016061977.tif 000003
【図１Ｂ】
2016061977.tif 000004
【図１Ｃ】
2016061977.tif 000005
【図１Ｄ】
2016061977.tif 000006
【図２】
2016061977.tif 000007
【図３】
2016061977.tif 000008
【図４】
2016061977.tif 000009
【図５】
2016061977.tif 000010